(57)【特許請求の範囲】
【請求項１】
複数種の回線網に発信可能な通信装置であって、
通信相手毎に、当該通信相手が利用可能な回線網の電話番号が当該回線網の優先度と共に少なくとも一つ記憶された番号情報記憶手段と、
前記番号情報記憶手段から、入力された宛先番号の通信相手に対応付けられている電話番号を検索する番号検索手段と、
前記番号検索手段により検索された電話番号のうち最も高い優先度を持つ電話番号を新たな宛先番号として、当該新たな宛先番号に対応する回線網に発信する発信手段と、
入力された電話番号を、指定された通信相手に対応付けて、前記番号情報記憶手段に登録する番号情報登録手段と、を有し、
前記番号情報登録手段は、
通信相手の指定および電話番号の入力を受け付けると、前記入力された電話番号の番号体系を採用する回線網を特定し、前記入力された電話番号を、前記指定された通信相手および前記特定した回線網に予め付与された優先度に対応付けて、前記番号情報記憶手段に登録する
ことを特徴とする通信装置。
【請求項２】
請求項１に記載の通信装置であって、
前記複数種の回線網のうちの一つは、専用回線網であり、
前記番号情報登録手段は、
前記入力された電話番号の番号体系を採用する回線網が前記専用回線網である場合の優先度を最も高くする
ことを特徴とする通信装置。
【請求項３】
請求項１又は２に記載の通信装置であって、
前記複数種の回線網のうちの一つは、ＩＰ回線網であり、
自通信装置のユーザが加入している加入ＩＰ電話サービスおよび当該加入ＩＰ電話サービスと提携関係にある提携ＩＰ電話サービスを利用可能な電話番号が記憶されたＩＰ電話番号記憶手段をさらに有し、
前記番号情報登録手段は、
前記入力された電話番号の番号体系を採用する回線網が前記ＩＰ回線網であり、且つ当該電話番号が前記ＩＰ電話番号記憶手段に記憶されている場合の優先度を、前記入力された電話番号の番号体系を採用する回線網が前記ＩＰ回線網であり、且つ当該電話番号が前記ＩＰ電話番号記憶手段に記憶されていない場合の優先度よりも高くする
ことを特徴とする通信装置。
【請求項４】
請求項３に記載の通信装置であって、
前記複数種の回線網のうちの一つは、公衆回線網であり、
前記番号情報登録手段は、
前記入力された電話番号の番号体系を採用する回線網が前記公衆回線網である場合の優先度を、前記入力された電話番号の番号体系を採用する回線網が前記ＩＰ回線網である場合の優先度よりも低くする
ことを特徴とする通信装置。
【請求項５】
請求項１乃至４のいずれか一項に記載の通信装置であって、
前記複数種の回線網のうちの一つは、移動体通信回線網であり、
前記番号情報登録手段は、
前記入力された電話番号の番号体系を採用する回線網が前記移動体通信回線網である場合の優先度を最も低くする
ことを特徴とする通信装置。
【請求項６】
請求項１乃至５のいずれか一項に記載の通信装置であって、
前記発信手段は、
発信先の回線網からビジー応答を受信した場合、もしくは発信先の回線網からの応答がタイムアウトした場合に、
前記番号検索手段により検索された電話番号のうち当該発信先の回線網の電話番号に次いで高い優先度を持つ電話番号が、前記入力された宛先番号の優先度以上ならば、当該発信先の回線網の電話番号に次いで高い優先度を持つ電話番号を新たな宛先番号として、当該新たな宛先番号に対応する回線網に発信し、
当該発信先の回線網の電話番号に次いで高い優先度を持つ電話番号が、前記入力された宛先番号の優先度より低いならば、当該発信先の回線網の電話番号に次いで高い優先度を持つ電話番号への発信が発信元に承認された場合にのみ、当該発信先の回線網の電話番号に次いで高い優先度を持つ電話番号を新たな宛先番号として、当該新たな宛先番号に対応する回線網に発信する
ことを特徴とする通信装置。
【請求項７】
通信装置による複数種の回線網への発信方法であって、
通信相手の指定および電話番号の入力を受け付けると、前記入力された電話番号の番号体系を採用する回線網を特定し、前記入力された電話番号を、前記指定された通信相手および前記特定した回線網に予め付与された優先度に対応付けて、通信相手毎に、当該通信相手が利用可能な回線網の電話番号が当該回線網の優先度と共に少なくとも一つ記憶された番号情報記憶手段に登録し、
発信元から宛先番号を受け付けると、当該宛先番号と同じ通信相手に対応付けられて前記番号情報記憶手段に記憶されている電話番号を検索し、検索された電話番号のうち最も高い優先度を持つ電話番号を新たな宛先番号として、当該新たな宛先番号に対応する回線網に発信する
ことを特徴とする発信方法。
【発明の詳細な説明】
【技術分野】
【０００１】
本発明は、複数種の回線網に発信可能な通信装置の発信技術に関する。
【背景技術】
【０００２】
特許文献１には、着呼側の端末がどのような接続形態であっても、これに対応することができ、しかも接続可能な経路のうち最適な経路での接続を可能にする技術が開示されている。特許文献１において、発呼側電話機から着呼側電話機へ電話を接続するに際し、公衆回線網およびインターネットを含む複数の経路について最適な順番で接続処理を実行し、最初に接続可能とされた経路で発呼側電話機から着呼側電話機へ電話を接続する。
【０００３】
【特許文献１】特開２０００−１２５０４１号公報
【発明の開示】
【発明が解決しようとする課題】
【０００４】
しかしながら、特許文献１に記載の技術は、着呼側電話機に電話番号が複数割り当てられていることを想定していない。つまり、着呼側電話機に複数の電話番号が割り当てられている場合に、どの電話番号で着呼側電話機に発信するのがコスト的に有利となるかを考慮していない。
【０００５】
例えば、地理的に離れた２つの拠点Ａ、Ｂ間が公衆回線網および専用回線網で接続され、拠点Ａ、Ｂのそれぞれに内線番号および外線番号が割り当てられている場合において、拠点Ａの電話機から拠点Ｂの電話機に電話をかける場合を想定する。ここで、拠点Ａの電話機のユーザが拠点Ｂの電話機の外線番号しか知らない場合、通常、拠点Ｂの内線番号を調べることなく拠点Ｂの外線番号で電話をかけてしまうことが多い。しかし、外線番号は、公衆回線網経由のため、内線番号に比べてコスト高となる。
【０００６】
本発明は上記事情に鑑みてなされたものであり、本発明の目的は、電話番号が複数割り当てられている通話相手に対して、最適な電話番号で発信することができる技術を提供することにある。
【課題を解決するための手段】
【０００７】
上記課題を解決するために、本発明では、通信相手の指定および電話番号の入力を受け付けると、入力された電話番号を、指定された通信相手と、この電話番号の番号体系を採用する回線網に予め付与された優先度とに対応付けて、番号情報記憶手段に登録する。また、発信元から宛先番号を受け付けると、この宛先番号を持つ通話相手に対応付けられている電話番号を番号情報記憶手段から検索する。そして、検索した電話番号の中から優先度の最も高い電話番号を抽出し、この抽出した電話番号を新たな宛先番号として、入力された宛先番号に代えてこの新たな宛先番号で発信する。
【０００８】
例えば、本発明は、複数種の回線網に発信可能な通信装置であって、
通信相手毎に、当該通信相手が利用可能な回線網の電話番号が当該回線網の優先度と共に少なくとも一つ記憶された番号情報記憶手段と、
前記番号情報記憶手段から、入力された宛先番号の通信相手に対応付けられている電話番号を検索する番号検索手段と、
前記番号検索手段により検索された電話番号のうち最も高い優先度を持つ電話番号を新たな宛先番号として、当該新たな宛先番号に対応する回線網に発信する発信手段と、
入力された電話番号を、指定された通信相手に対応付けて、前記番号情報記憶手段に登録する番号情報登録手段と、を有し、
前記番号情報登録手段は、
通信相手の指定および電話番号の入力を受け付けると、前記入力された電話番号の番号体系を採用する回線網を特定し、前記入力された電話番号を、前記指定された通信相手および前記特定した回線網に予め付与された優先度に対応付けて、前記番号情報記憶手段に登録する。
【発明の効果】
【０００９】
本発明によれば、電話番号が複数割り当てられている通話相手に対して、最適な電話番号で発信することができる。また、ユーザより通信相手の指定とともに受け付けた電話番号に、自動的に優先度を対応付けることができるので、ユーザの手間を省くことができる。
【発明を実施するための最良の形態】
【００１０】
以下、本発明の一実施の形態について説明する。
【００１１】
図１は、本発明の一実施の形態が適用された主装置を含む電話システムの概略図である。
【００１２】
図示するように、本実施の形態の主装置１は、ＬＡＮ等の内線回線網４を介して複数の内線端末２を収容する。また、主装置１は、専用回線網５、ＩＰ回線網６、公衆回線網７、および移動体通信回線網８と接続しており、これらの回線網５〜８のうちのいずれかを介して、内線端末２を電話装置３Ａ〜３Ｃに接続する。
【００１３】
ここで、電話装置３Ａは、専用回線網５、ＩＰ回線網６、公衆回線網７、および移動体通信回線網８と接続しており、それぞれの回線網５〜８毎に電話番号が割り当てられている。また、電話装置３Ｂは、ＩＰ回線網６、公衆回線網７、および移動体通信回線網８と接続しており、それぞれの回線網６〜８毎に電話番号が割り当てられている。また、電話装置３Ｃは、公衆回線網７および移動体通信回線網８と接続しており、それぞれの回線網７、８毎に電話番号が割り当てられている。なお、電話装置３Ａ〜３Ｃは、例えば複数の内線端末を収容した主装置である。
【００１４】
主装置１は、内線端末２から発信を受信した場合に、この発信で指定されている宛先番号を持つ電話装置３Ａ〜３Ｃに割り当てられている電話番号を検索する。そして、検索した電話番号のなかからコスト的に最も有利な電話番号を抽出し、この抽出した電話番号を新たな宛先番号として、この抽出した電話番号の番号体系によって特定される回線網５〜８に発信する。
【００１５】
図２は、主装置１の概略構成図である。
【００１６】
図示するように、主装置１は、内線回線網ＩＦ部１０１と、専用回線網ＩＦ部１０２と、ＩＰ回線網ＩＦ部１０３と、公衆回線網ＩＦ部１０４と、移動体通信回線網ＩＦ部１０５と、中継部１０６と、呼制御部１０７と、局データ記憶部１０８と、番号検索部１１０と、拠点番号記憶部１１１と、ＩＰ電話番号記憶部１１２と、番号登録部１１３と、を有する。
【００１７】
内線回線網ＩＦ部１０１は、内線回線網４に接続するためのインターフェースである。
【００１８】
専用回線網ＩＦ部１０２は、専用回線網５に接続するためのインターフェースである。
【００１９】
ＩＰ回線網ＩＦ部１０３は、ＩＰ回線網６に接続するためのインターフェースである。
【００２０】
公衆回線網ＩＦ部１０４は、公衆回線網７に接続するためのインターフェースである。
【００２１】
移動体通信回線網ＩＦ部１０５は、移動体通信回線網８に接続するためのインターフェースである。
【００２２】
中継部１０６は、内線回線網ＩＦ部１０１、専用回線網ＩＦ部１０２、ＩＰ回線網ＩＦ部１０３、公衆回線網ＩＦ部１０４、移動体通信回線網ＩＦ部１０５、呼制御部１０７、および番号登録部１１３の間を中継する。
【００２３】
呼制御部１０７は、呼制御処理を行って、内線端末２と通話相手との間に通話路を確立する。ここで、呼制御部１０７は、通信先の回線網５〜８が提供する電話サービスが採用する呼制御プロトコルに従って呼制御処理を行う。
【００２４】
局データ記憶部１０８には、呼制御部１０７が呼制御処理に用いる局データが記憶されている。また、局データ記憶部１０８は、番号情報記憶部１０９を有する。
【００２５】
番号情報記憶部１０９は、通話相手毎に、当該通信相手が利用可能な回線網５〜８の電話番号がこの回線網５〜８の優先度と共に少なくとも一つ記憶されている。図３は、番号情報記憶部１０９の登録内容を模式的に表した図である。
【００２６】
図示するように、番号情報記憶部１０９には、通話相手の電話装置毎にレコード１０９０が登録されている。レコード１０９０は、通話相手の識別情報（ユーザ名等）を登録するフィールド１０９１と、通話相手に付与された優先度「１」〜「５」の電話番号を登録するためのフィールド１０９２〜１０９６と、を有する。本実施の形態では、通話料金の安いものほど優先順位が高くなるようにしている。すなわち、専用回線網５を利用して通話相手の電話装置に接続するための電話番号を優先度「１」の電話番号とし、加入先もしくは提携先のＩＰ電話サービスを利用して通話相手の電話装置に接続するための電話番号を優先度「２」の電話番号とし、加入先および提携先のＩＰ電話サービス以外のＩＰ電話サービスを利用して通話相手の電話装置に接続するための電話番号を優先度「３」とし、公衆回線網７を利用して通話相手の電話装置に接続するための電話番号を優先度「４」とし、そして、移動体通信回線網８を利用して通話相手の電話装置に接続するための電話番号を優先度「５」としている。
【００２７】
図１に示すように、電話装置３Ａは、専用回線網５、ＩＰ回線網６、公衆回線網７、および移動体通信回線網８と接続している。ここで、電話装置３Ａが加入しているＩＰ電話サービスが、主装置１が加入しているＩＰ電話サービスと同じ、あるいは提携しているとする。この場合、フィールド１０９１に識別情報「３Ａ」が登録されているレコード１０９０に示すように、電話装置３Ａに対応するレコード１０９０のフィールド１０９２、１０９３、１０９５、１０９６には、それぞれ、専用回線網５を利用して電話装置３Ａに接続するための電話番号、主装置１の加入先もしくは提携先のＩＰ電話サービスを利用して電話装置３Ａに接続するための電話番号、公衆回線網７を利用して電話装置３Ａに接続するための電話番号、および移動体通信回線網８を利用して電話装置３Ａに接続するための電話番号が登録される。
【００２８】
また、図１に示すように、電話装置３Ｂは、ＩＰ回線網６、公衆回線網７、および移動体通信回線網８と接続している。ここで、電話装置３Ｂが複数のＩＰ電話サービスに加入しており、そのうちの一つが主装置１が加入しているＩＰ電話サービスと同じ、あるいは提携しているとする。この場合、フィールド１０９１に識別情報「３Ｂ」が登録されているレコード１０９０に示すように、電話装置３Ｂに対応するレコード１０９０のフィールド１０９３、１０９４、１０９５、１０９６には、それぞれ、主装置１の加入先もしくは提携先のＩＰ電話サービスを利用して電話装置３Ｂに接続するための電話番号、主装置１の加入先および提携先以外のＩＰ電話サービスを利用して電話装置３Ｂに接続するための電話番号、公衆回線網７を利用して電話装置３Ｂに接続するための電話番号、および移動体通信回線網８を利用して電話装置３Ｂに接続するための電話番号が登録される。
【００２９】
また、図１に示すように、電話装置３Ｃは、公衆回線網７、および移動体通信回線網８と接続している。この場合、フィールド１０９１に識別情報「３Ｃ」が登録されているレコード１０９０に示すように、電話装置３Ｃに対応するレコード１０９０のフィールド１０９５、１０９６には、それぞれ、公衆回線網７を利用して電話装置３Ｃに接続するための電話番号、および移動体通信回線網８を利用して電話装置３Ｃに接続するための電話番号が登録される。
【００３０】
番号検索部１１０は、番号情報記憶部１０９を参照し、内線端末２からの発信で指定されている宛先番号を含むレコード１０９０を検索する。そして、検索したレコード１０９０を呼制御部１０７に通知する。
【００３１】
拠点番号記憶部１１１には、専用回線網５を利用する電話サービスが採用する拠点番号（局番）のリストが登録されている。
【００３２】
ＩＰ電話番号記憶部１１２には、主装置１が加入しているＩＰ電話サービスおよびこのＩＰ電話サービスと提携しているＩＰ電話サービスが加入者に割り当てる電話番号のリストもしくは範囲が登録されている。
【００３３】
番号登録部１１３は、内線回線網ＩＦ部１０１および中継部１０６を介して内線端末２から受け付けた番号登録要求に従い、この内線端末２により指定された通話相手の電話番号を番号情報記憶部１０９に登録する。
【００３４】
図４は、主装置１の動作を説明するためのフロー図である。
【００３５】
中継部１０６は、専用回線網ＩＦ部１０２、ＩＰ回線網ＩＦ部１０３、公衆回線網ＩＦ部１０４、および移動体通信回線網ＩＦ部１０５の何れかを介して通話相手から着信を受信すると（Ｓ１０１でＹＥＳ）、この着信を呼制御部１０７に渡す。これを受けて、呼制御部１０７は、着信処理を行い、この着信で指定されている宛先番号により特定される内線端末２と通話相手との間に通話路を形成する（Ｓ１０２）。
【００３６】
また、中継部１０６は、内線回線網ＩＦ部１０１を介して内線端末２から発信を受信すると（Ｓ１０３でＹＥＳ）、この発信を呼制御部１０７に渡す。これを受けて、呼制御部１０７は、この発信で指定されている宛先番号を番号検索部１１０に通知する。そして、番号検索部１１０は、呼制御部１０７より通知された宛先番号が局データ記憶部１０８のいずれかのフィールド１０９２〜１０９６に登録されているレコード１０９０を検索し、検索したレコード１０９０を呼制御部１０７に通知する（Ｓ１０４）。
【００３７】
次に、呼制御部１０７は、番号検索部１１０より受け取ったレコード１０９０のフィールド１０９２〜１０９６に登録されている電話番号のうちの未選択の電話番号のなかから、最も優先度の高い電話番号を選択する（Ｓ１０５）。そして、中継部１０６を制御して、各回線網５〜８に対応する回線網ＩＦ部１０２〜１０５のうち、選択した電話番号が登録されているフィールドに対応する回線網と接続する回線網ＩＦ部から、選択した電話番号を宛先番号として発信する（Ｓ１０６）。
【００３８】
ここで、呼制御部１０７は、発信先の回線網からビジー応答を受信した場合、あるいは、発信先の回線網からの応答がタイムアウトした場合（Ｓ１０７でＹＥＳ）、番号検索部１１０より受け取ったレコード１０９０のフィールド１０９２〜１０９６に登録されている電話番号のなかに未選択の電話番号があるならば（Ｓ１０９でＹＥＳ）、Ｓ１０５へ戻って、つぎに優先度が高い別の電話番号による発信を試みる。未選択の電話番号がない場合は（Ｓ１０９でＮＯ）、中継部１０６および内線回線網ＩＦ部１０１を介して発信元の内線端末２に、ビジー応答を転送するなどの所定のエラー処理を行う（Ｓ１１０）。
【００３９】
一方、呼制御部１０７は、タイムアウトすることなく発信先の回線網５〜８から応答を受信した場合（Ｓ１０７でＮＯ）、発信処理を続行し、発信元の内線端末２と宛先番号により特定される通話相手との間に通話路を形成する（Ｓ１０８）。
【００４０】
また、中継部１０６は、内線回線網ＩＦ部１０１を介して内線端末２から、例えば所定のＰＢ（Ｐｕｓｈ  Ｂｕｔｔｏｎ）信号列からなる番号登録要求を受信すると（Ｓ１１１でＹＥＳ）、この番号登録要求を番号登録部１１３に渡す。これを受けて、番号登録部１１３は、後述する番号登録処理を行う（Ｓ１１２）。
【００４１】
図５は、図４に示す番号登録処理（Ｓ１１２）を説明するためのフロー図である。
【００４２】
番号登録部１１３は、内線回線網ＩＦ部１０１および中継部１０６を介して、番号登録要求送信元の内線端末２から、通話相手となる電話装置の識別情報を受け付ける（Ｓ１１２１）。次に、番号登録部１１３は、番号情報記憶部１０９を参照し、この受け付けた識別情報がフィールド１０９１に登録されているレコード１０９０が存在するか否かを調べる（Ｓ１１２２）。そのようなレコード１０９０が存在しない場合は（Ｓ１１２２でＮＯ）、番号情報記憶部１０９に新たなレコード１０９０を追加し、このレコード１０９０のフィールド１０９１に、この受け付けた識別情報を登録する（Ｓ１１２３）。それから、Ｓ１１２４に進む。一方、そのようなレコードが存在する場合（Ｓ１１２２でＹＥＳ）、直ちにＳ１１２４に進む。
【００４３】
Ｓ１１２４において、番号登録部１１３は、内線回線網ＩＦ部１０１および中継部１０６を介して、番号登録要求送信元の内線端末２から、通話相手となる電話装置の電話番号を受け付ける。次に、番号登録部１１３は、この受け付けた電話番号の番号体系を解析する（Ｓ１１２５）。
【００４４】
Ｓ１１２４で受け付けた電話番号の番号体系が「０９０」、「０８０」等で始まる移動体通信回線番号の番号体系である場合（Ｓ１１２５で「移動体通信回線番号」）、番号登録部１１３は、Ｓ１１２１で受け付けた識別情報がフィールド１０９１に登録されているレコード１０９０を番号情報記憶部１０９から検索し、このレコード１０９０の移動体通信回線網８に対応する、つまり最も低い優先度「５」に対応するフィールド１０９６に、この受け付けた電話番号を登録する（Ｓ１１２６）。それから、Ｓ１１３３に進む。
【００４５】
また、Ｓ１１２４で受け付けた電話番号の番号体系が「０ＡＢ〜Ｊ」番号つまり固定電話番号の番号体系である場合（Ｓ１１２５で「公衆回線番号」）、番号登録部１１３は、Ｓ１１２１で受け付けた識別情報がフィールド１０９１に登録されているレコード１０９０を番号情報記憶部１０９から検索し、このレコード１０９０の公衆回線網７に対応する、つまりＩＰ回線網６より低い優先度「４」に対応するフィールド１０９５に、この受け付けた電話番号を登録する（Ｓ１１２７）。それから、Ｓ１１３３に進む。
【００４６】
また、Ｓ１１２４で受け付けた電話番号の番号体系が「０５０」等で始まるＩＰ回線番号の番号体系である場合（Ｓ１１２５で「ＩＰ回線番号」）、番号登録部１１３は、ＩＰ電話番号記憶部１１２を参照し、この受け付けた電話番号が存在するか否かを調べる（Ｓ１１２８）。この受け付けた電話番号がＩＰ電話番号記憶部１１２に存在しない場合（Ｓ１１２８でＮＯ）、番号登録部１１３は、Ｓ１１２１で受け付けた識別情報がフィールド１０９１に登録されているレコード１０９０を番号情報記憶部１０９から検索し、このレコード１０９０の、非提携ＩＰ回線番号に対応する、つまり優先度「３」に対応するフィールド１０９４に、この受け付けた電話番号を登録する（Ｓ１１２９）。それから、Ｓ１１３３に進む。
【００４７】
一方、受け付けた電話番号がＩＰ電話番号記憶部１１２に存在する場合（Ｓ１１２８でＹＥＳ）、番号登録部１１３は、Ｓ１１２１で受け付けた識別情報がフィールド１０９１に登録されているレコード１０９０を番号情報記憶部１０９から検索し、このレコード１０９０の、提携ＩＰ回線番号に対応する、つまり非提携ＩＰ回線番号より高い優先度「２」に対応するフィールド１０９３に、この受け付けた電話番号を登録する（Ｓ１１３０）。それから、Ｓ１１３３に進む。
【００４８】
また、Ｓ１１２４で受け付けた電話番号の番号体系が移動体通信回線番号、公衆回線番号、およびＩＰ回線番号のいずれの番号体系にも該当しない場合（Ｓ１１２５で「その他」）、番号登録部１１３は、拠点番号記憶部１１１を参照し、この受け付けた電話番号の局番（特番）が専用回線番号の拠点番号として登録されているか否かを調べる（Ｓ１１３１）。拠点番号として登録されている場合（Ｓ１１３１でＹＥＳ）、番号登録部１１３は、Ｓ１１２１で受け付けた識別情報がフィールド１０９１に登録されているレコード１０９０を番号情報記憶部１０９から検索し、このレコード１０９０の、専用回線網５に対応する、つまり最も高い優先度「１」に対応するフィールド１０９２に、この受け付けた電話番号を登録する（Ｓ１１３２）。それから、Ｓ１１３３に進む。
【００４９】
一方、拠点番号として登録されていない場合（Ｓ１１３１でＮＯ）、番号登録部１１３は、電話番号の再入力を促す音声メッセージを番号登録要求送信元の内線端末２に送信するなどの所定のエラー処理を行い、それから、Ｓ１１３３に進む。
【００５０】
Ｓ１１３３において、番号登録部１１３は、内線回線網ＩＦ部１０１および中継部１０６を介して、番号登録要求送信元の内線端末２から、例えば所定のＰＢ信号列からなる電話番号の追加登録指示、あるいは例えばオンフック信号からなる操作の終了指示が送られてくるのを待つ。追加登録指示を受け付けたならば（Ｓ１１３３でＹＥＳ）、Ｓ１１２４に戻る。終了指示を受け付けたならば（Ｓ１１３３でＮＯ）、このフローを終了する。
【００５１】
図６は、本発明の一実施の形態が適用された主装置を含む電話システムの動作例を説明するためのシーケンス図である。
【００５２】
内線端末２が電話装置３Ａの公衆回線番号を宛先番号として発信したとする（Ｓ２０）。主装置１は、この宛先番号がフィールド１０９５に登録されているレコード１０９０を番号情報記憶部１０９から検索する（Ｓ２１）。そして、このレコード１０９０のフィールド１０９２に登録されている優先度「１」の専用回線番号を選択し（Ｓ２２）、この専用回線番号を宛先番号として専用回線網５へ発信する（Ｓ２３）。これにより、専用回線網５経由で電話装置３Ａに着信する。
【００５３】
ここで、電話装置３Ａが主装置であり、電話装置３Ａが収容するいずれかの内線端末が専用回線番号を使用中であり、このため電話装置３Ａがビジー応答を返信したとする（Ｓ２４）。主装置１は、専用回線網５からビジー応答を受信すると、Ｓ２１で検索したレコード１０９０のフィールド１０９３に登録されている優先度「２」の提携ＩＰ回線番号を選択し（Ｓ２５）、この提携ＩＰ回線番号を宛先番号としてＩＰ回線網６へ発信する（Ｓ２６）。そして、主装置１は、ＩＰ回線網６を介して電話装置３Ａから着信応答を受信したならば（Ｓ２７）、この着信応答を発信元の内線端末２に転送する（Ｓ２８）。
【００５４】
これにより、ＩＰ回線網６を介して、発信元の内線端末２と、通話相手である電話装置３Ａとの間に通話路が形成される（Ｓ２９）。
【００５５】
以上、本発明の一実施の形態を説明した。
【００５６】
本実施の形態において、主装置１は、内線端末２から受け付けた発信で指定されている宛先番号を持つレコード１０９０を番号情報記憶部１０９０から検索する。そして、検索したレコード１０９０に登録されている電話番号のなかから、優先度の最も高い電話番号を選択し、この選択した電話番号を新たな宛先番号として、この宛先番号の番号体系に対応する回線網５〜８に発信する。したがって、本実施の形態によれば、電話番号が複数割り当てられている通話相手に対して、コスト的に最も有利な電話番号で通話相手に発信することができる。
【００５７】
また、本実施の形態において、主装置１は、発信先の回線網からビジー応答を受信した場合、もしくは発信先の回線網からの応答がタイムアウトした場合に、検索したレコード１０９０に登録されている電話番号のうち、発信先の回線網の電話番号に次いで高い優先度を持つ電話番号を新たな宛先番号として、この新たな宛先番号の番号体系に対応する回線網に発信する。したがって、本実施の形態によれば、電話番号が複数割り当てられている通話相手に対して、実際に通話可能な電話番号のなかでコスト的に最も有利な電話番号で通話相手と接続することができる。
【００５８】
また、本実施の形態において、主装置１は、番号登録要求の送信元である内線端末２より受け付けた電話番号を、この内線端末２より受け付けた通話相手の識別情報、およびこの電話番号の番号体系を採用する回線網５〜８に予め付与された優先度に対応付けて番号情報記憶部１０９に記憶する。このため、本実施の形態によれば、番号登録要求の送信元である内線端末２より受け付けた電話番号に、自動的に優先度を対応付けることができ、したがって、ユーザの手間を省くことができる。
【００５９】
また、本実施の形態において、主装置１は、番号登録要求の送信元である内線端末２より受け付けた電話番号の番号体系を採用する回線網が専用回線網５である場合の優先度を最も高くしているので、通話料金の最も安い専用回線網５の電話サービスを優先させることができる。
【００６０】
また、本実施の形態において、主装置１は、番号登録要求の送信元である内線端末２より受け付けた電話番号の番号体系を採用する回線網がＩＰ回線網６である場合に、この電話番号が加入もしくは提携ＩＰ電話サービスの電話番号である場合の優先度を、この電話番号が加入もしくは提携ＩＰ電話サービス以外のＩＰ電話サービスの電話番号である場合の優先度よりも高くしている。このようにすることにより、より通話料金の安い加入・提携ＩＰ電話サービスをその他のＩＰ電話サービスより優先させることができる。
【００６１】
また、本実施の形態において、主装置１は、番号登録要求の送信元である内線端末２より受け付けた電話番号の番号体系を採用する回線網が公衆回線網７である場合の優先度を、ＩＰ回線網６である場合の優先度より低くしているので、より通話料金の安いＩＰ電話サービスを固定電話サービスより優先させることができる。
【００６２】
また、本実施の形態において、主装置１は、番号登録要求の送信元である内線端末２より受け付けた電話番号の番号体系を採用する回線網が移動体通信回線網８である場合の優先度を最も低くしているので、通話料金の最も高い移動体通信サービスの利用を極力抑えることができる。
【００６３】
なお、本発明は上記の実施の形態に限定されるものではなく、その要旨の範囲内で数々の変形が可能である。例えば、主装置１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）、ＰＣ（Ｐｅｒｓｏｎａｌ  Ｃｏｍｐｕｔｅｒ）などの計算機によりソフトウエア的に実行されるものでもよい。
【００６４】
また、上記の実施の形態において、主装置１は、発信先の回線網からビジー応答を受信した場合、もしくは発信先の回線網からの応答がタイムアウトした場合に、内線端末２からの発信で指定されている宛先番号を持つレコード１０９０に登録されている電話番号のうち、発信先の回線網の電話番号に次いで高い優先度を持つ電話番号を新たな宛先番号として、この新たな宛先番号の番号体系に対応する回線網に発信する。ここで、この新たな宛先番号の優先度が内線端末２からの発信で指定されている宛先番号の優先度よりも低い場合、この新たな宛先番号で発信することなく、処理を終了させてもよい。または、新たな宛先番号への発信の承認を求めるようにしてもよい。このようにすることにより、内線端末２からの発信で指定されている電話番号で電話をかけた場合のコストよりも割高となるのを防止することができる。
【００６５】
また、上記の実施の形態では、主装置１が専用回線網５、ＩＰ回線網６、公衆回線網７、および移動体通信回線網８に発信可能な場合を例にとり説明したが、本発明はこれに限定されない。主装置１は複数種の回線網に発信可能であればよい。
【００６６】
また、上記の実施の形態では、本発明を主装置１に適用した場合を例にとり説明した。しかし、本発明はこれに限定されない。本発明は、複数種の回線網に発信可能な通信装置に広く適用できる。例えば複数種の回線網に発信可能な電話機にも適用可能である。
【図面の簡単な説明】
【００６７】
【図１】図１は、本発明の一実施の形態が適用された主装置を含む電話システムの概略図である。
【図２】図２は、主装置１の概略構成図である。
【図３】図３は、番号情報記憶部１０９の登録内容を模式的に表した図である。
【図４】図４は、主装置１の動作を説明するためのフロー図である。
【図５】図５は、図４に示す番号登録処理（Ｓ１１２）を説明するためのフロー図である。
【図６】図６は、本発明の一実施の形態が適用された主装置を含む電話システムの動作例を説明するためのシーケンス図である。
【符号の説明】
【００６８】
１：主装置、２：内線端末、３Ａ〜３Ｃ：電話装置、４：内線回線網、５：専用回線網、６：ＩＰ回線網、７：公衆回線網、８：移動体通信回線網、１０１：内線回線網ＩＦ部、１０２：専用回線網ＩＦ部、１０３：ＩＰ回線網ＩＦ部、１０４：公衆回線網ＩＦ部、１０５：移動体通信回線網ＩＦ部、１０６：中継部、１０７：呼制御部、１０８：局データ記憶部、１０９：番号情報記憶部、１１０：番号検索部、１１１：拠点番号記憶部、１１２：ＩＰ電話番号記憶部、１１３：番号登録部
【図１】
0005050714.tif 000002
【図２】
0005050714.tif 000003
【図３】
0005050714.tif 000004
【図４】
0005050714.tif 000005
【図５】
0005050714.tif 000006
【図６】
0005050714.tif 000007